(57)【特許請求の範囲】
【請求項１】
外部から受信した映像信号を送信する送信装置より送信された映像信号を受信する受信部を備え、該受信部が受信した映像信号が表す映像を表示する表示装置において、
上記送信装置は、上記表示装置と共に表示システムを構成しており、
ユーザからスタンバイ状態への遷移を指示されたときに、前記受信部への電力供給を停止するか否かを、予約視聴開始までの残り時間に応じて決定する決定手段を備えていることを特徴とする表示装置。
【請求項２】
前記決定手段は、前記受信部への電力供給を停止した後、前記受信部への電力供給を開始するか否かを、予約視聴開始までの残り時間に応じて決定することを特徴とする請求項１に記載の表示装置。
【請求項３】
ユーザからスタンバイ状態への遷移を指示されたときに、当該表示装置をスタンバイ状態へ遷移させるか否かを設定するスタンバイ状態設定手段を更に備え、
前記決定手段は、前記スタンバイ状態設定手段によって、当該表示装置をスタンバイ状態へ遷移させると設定されているときに、受信部への電力供給を停止するか否かを決定することを特徴とする請求項１または２に記載の表示装置。
【請求項４】
予約視聴の有無を確認する予約有無確認手段を更に備え、
前記スタンバイ状態設定手段は、前記予約有無確認手段によって予約視聴が有ると確認されたとき、前記表示装置を予約起動可能なスタンバイ状態へ遷移させるよう設定することを特徴とする請求項３に記載の表示装置。
【請求項５】
外部から受信した映像信号を送信する送信装置より送信された映像信号を受信する受信部を備え、該受信部が受信した映像信号が表す映像を表示する表示装置において、
上記送信装置は、上記表示装置と共に表示システムを構成しており、
スタンバイ状態において予約視聴開始までの残り時間が所定の閾値を下回ったときに、上記受信部への電力供給を開始する電力供給手段と、
所定の時間ごとにバックグラウンドで前記表示装置を一時的に起動させ、前記送信装置と予約視聴開始の時間の同期を取る同期手段と、を備え、
前記同期手段は、予約視聴開始の時間の同期を取った後、前記表示装置をスタンバイ状態に遷移させる、ことを特徴とする表示装置。
【請求項６】
前記受信部は、前記送信装置から予約視聴開始時間であることを示す情報を受信し、
前記表示装置は、前記受信部が前記情報を受信したとき、当該表示装置を起動させる起動手段を更に備えていることを特徴とする請求項１から５の何れか１項に記載の表示装置。
【請求項７】
請求項１から６の何れか１項に記載の表示装置と、上記送信装置と、を備えることを特徴とする表示システム。
【請求項８】
外部から受信した映像信号を送信する送信装置より送信された映像信号を受信する受信部を備え、該受信部が受信した映像信号が表す映像を表示する表示装置の制御方法であって、
上記送信装置は、上記表示装置と共に表示システムを構成しており、
ユーザからスタンバイ状態への遷移を指示されたときに、前記受信部への電力供給を停止するか否かを、予約視聴開始までの残り時間に応じて決定する決定工程を含むことを特徴とする表示装置の制御方法。
【請求項９】
外部から受信した映像信号を送信する送信装置より送信された映像信号を受信する受信部を備え、該受信部が受信した映像信号が表す映像を表示する表示装置の制御方法であって、
上記送信装置は、上記表示装置と共に表示システムを構成しており、
スタンバイ状態において予約視聴開始までの残り時間が所定の閾値を下回ったときに、上記受信部への電力供給を開始する電力供給工程と、
所定の時間ごとにバックグラウンドで前記表示装置を一時的に起動させ、前記送信装置と予約視聴開始の時間の同期を取る同期ステップと、を含み、
前記同期ステップにおいて、予約視聴開始の時間の同期を取った後、前記表示装置をスタンバイ状態に遷移させる、ことを特徴とする表示装置の制御方法。
【請求項１０】
請求項１から６の何れか１項に記載の表示装置としてコンピュータを動作させるプログラムであって、コンピュータを前記各手段として機能させるためのプログラム。
【請求項１１】
請求項１０に記載のプログラムが記録されているコンピュータ読み取り可能な記録媒体。
【発明の詳細な説明】
【技術分野】
【０００１】
本発明は、送信装置と表示装置とが分離したシステムの表示装置に関する。
【背景技術】
【０００２】
近年、映像を表示するディスプレイと、チューナ等を含んだセットトップボックス（ＳＴＢ）とが、分離したセパレート型（分離型）のテレビジョンシステムが普及している。
【０００３】
例えば、特許文献１には複数のソース機器（ＳＴＢ）と、ソース機器から無線で伝送された映像データを受信するシンク機器（ディスプレイ）とを備えた無線通信システムが開示されている。
【先行技術文献】
【特許文献】
【０００４】
【特許文献１】特開２００８−２７１００８号公報（２００８年１１月６日公開）
【発明の概要】
【発明が解決しようとする課題】
【０００５】
ディスプレイとセットトップボックスとが一体となった一体型のテレビジョンシステム（テレビジョン受像機）の場合、テレビジョンシステムの電源をオフにしているとき、または、スタンバイ状態であるときの消費電力を小さくするために、当該テレビジョンシステムは、ユーザのリモコン操作等の受付および時刻管理等ができる程度の小さなマイコンのみを生かした状態で動作させるのが一般的である。
【０００６】
また、従来の無線通信を利用したセパレート型のテレビジョンシステムにおいて、ディスプレイの電源がオフの状態またはスタンバイ状態のとき、ディスプレイは、ユーザ操作によって起動トリガを受け取り、当該起動トリガによって当該ディスプレイを起動させることができる。一方、当該テレビジョンシステムにおけるＳＴＢが起動トリガを受け取るには、ディスプレイと無線通信を確立してディスプレイ側から起動トリガを受信する必要がある。そのため、ＳＴＢの電源がオフのとき、ＳＴＢを起動させるためには、ＳＴＢに備えられた無線通信部であって、ディスプレイと無線通信を行う無線通信部（無線通信制御部）を起動させておく必要がある。よって、従来のセパレート型のテレビジョンシステムでは、ＳＴＢおよびディスプレイの電源をオフにしている状態において、ＳＴＢ側の無線通信部を起動させ、ディスプレイ側の無線通信部を省電力化のために停止するという構成が一般的である。
【０００７】
ここで、視聴予約等が行われた場合、視聴予約時に必要な情報である時刻情報の管理は、放送を受信するＳＴＢ側が管理していることが一般的である。そのため、予約視聴開始の時刻にＳＴＢおよびディスプレイを起動させるための起動トリガはＳＴＢ側が持つことになる。しかし、従来のセパレート型のテレビジョンシステムの構成では、省電力化のためにディスプレイ側の無線通信部を停止しているので、ＳＴＢ側から起動トリガを送信することができない。このため、視聴予約が行われた時にディスプレイを起動させるためには、ディスプレイ側の無線通信部も起動しておく必要がある。
【０００８】
しかしながら、ＳＴＢおよびディスプレイの電源をオフにした状態またはスタンバイ状態において、ＳＴＢの無線通信部と、ディスプレイの無線通信部との両方を起動させたテレビジョンシステムは、消費電力が大きい。そのため、視聴予約を行っていないとき、ＳＴＢの無線通信部およびディスプレイの無線通信部を起動させておくことにより、テレビジョンシステムは、無駄な電力を消費してしまう。
【０００９】
本発明は上記問題に鑑みてなされたものであり、その目的は、送信装置と表示装置とが分離したセパレート型のテレビジョンシステムにおいて、消費電力が小さい表示装置を実現することにある。
【課題を解決するための手段】
【００１０】
上記の課題を解決するために、本発明に係る表示装置は、送信装置より送信された映像信号を受信する受信部を備え、該受信部が受信した映像信号が表す映像を表示する表示装置において、ユーザからスタンバイ状態への遷移を指示されたときに、前記受信部への電力供給を停止するか否かを、予約視聴開始までの残り時間に応じて決定する決定手段を備えていることを特徴としている。
【００１１】
上記構成によれば、上記決定手段は、ユーザからスタンバイ状態への遷移を指示されたときに、予約視聴開始までの残り時間が予め定められた時間以内か否かを判別する。そして、予約視聴開始までの残り時間が予め定められた時間より長いとき、上記決定手段は、上記受信部への電力供給を停止することを決定する。また、予約視聴開始までの残り時間が予め定められた時間以内であるとき、上記決定手段は、上記受信部への電力供給を停止しないことを決定する。そして、上記表示装置は、上記決定手段の決定に従うと共に、スタンバイ状態へ遷移する。
【００１２】
これにより、予約視聴開始までの残り時間が予め定められた時間以内であるとき、表示装置の受信部への電力の供給を停止しないため、表示装置は、例えば、予約視聴開始の時刻になったときに表示装置を起動させる情報等、を送信装置から受信することができる。また、予約視聴開始までの残り時間が予め定められた時間以内でないとき、表示装置の受信部への電力の供給を停止することができる。よって、表示装置が消費する電力を好適に小さくすることができる。
【００１３】
また、本発明における表示装置の前記決定手段は、前記受信部への電力供給を停止した後、前記受信部への電力供給を開始するか否かを、予約視聴開始までの残り時間に応じて決定することが好ましい。
【００１４】
これにより、予約視聴開始までの残り時間が予め定められた時間以内になるまで、表示装置の受信部への電力供給を停止し、予約視聴開始までの残り時間が予め定められた時間以内になって、表示装置の受信部への電力供給を開始する。よって、表示装置の消費電力をより好適に低減させることができる。
【００１５】
また、本発明における表示装置は、ユーザからスタンバイ状態への遷移を指示されたときに、当該表示装置をスタンバイ状態へ遷移させるか否かを設定するスタンバイ状態設定手段を更に備え、前記決定手段は、前記スタンバイ状態設定手段によって、当該表示装置をスタンバイ状態へ遷移させると設定されているときに、受信部への電力供給を停止するか否かを決定することが好ましい。
【００１６】
これにより、ユーザが意図しないタイミングで上記表示装置をスタンバイ状態へ遷移させることなく、好適に表示装置の消費電力を低減させることができる。
【００１７】
また、本発明における表示装置は、予約視聴の有無を確認する予約有無確認手段を更に備え、前記スタンバイ状態設定手段は、前記予約有無確認手段によって予約視聴が有ると確認されたとき、前記表示装置を予約起動可能なスタンバイ状態へ遷移させるよう設定することが好ましい。
【００１８】
これにより、予約視聴がある場合、表示装置を自動的に予約起動可能なスタンバイ状態へ遷移するように設定することができる。よって、より好適に表示装置の消費電力を低減させることができる。
【００１９】
上記の課題を解決するために、本発明は、送信装置より送信された映像信号を受信する受信部を備え、該受信部が受信した映像信号が表す映像を表示する表示装置において、スタンバイ状態において予約視聴開始までの残り時間が所定の閾値を下回ったときに、上記受信部への電力供給を開始する電力供給手段を備えていることを特徴としている。
【００２０】
上記構成によれば、上記表示装置がスタンバイ状態であり、予約視聴開始までの残り時間が所定の閾値を下回ったとき、表示装置の受信部に電力が供給される。よって、予約視聴開始までの残り時間が所定の閾値を下回ったとき、表示装置は、例えば、予約視聴開始の時刻になったときに表示装置を起動させる情報等、を送信装置から受信することができる。また、予約視聴開始までの残り時間が所定の閾値を下回らないとき、表示装置の受信部に電力を供給しない。したがって、好適に表示装置の消費電力を低減させることができる。
【００２１】
また、本発明における表示装置は、所定の時間ごとにバックグラウンドで前記表示装置を一時的に起動させ、前記送信装置と予約視聴開始の時間の同期を取る同期手段を更に備え、前記同期手段は、予約視聴開始の時間の同期を取った後、前記表示装置をスタンバイ状態に遷移させることが好ましい。
【００２２】
上記構成によれば、所定の時間ごとに予約視聴開始の時間の同期を取ることにより、ユーザが視聴予約した番組の番組スケジュールの変更等によって開始時刻が変更された場合であっても、前記電力供給手段は、ユーザが視聴予約した番組の開始までの残り時間が所定の閾値を下回るまで、上記受信部に電力を供給しない。よって、より好適に表示装置の消費電力を低減させることができる。
【００２３】
また、本発明における表示装置の前記受信部は、前記送信装置から予約視聴開始時間であることを示す情報を受信し、前記表示装置は、前記受信部が前記情報を受信したとき、当該表示装置を起動させる起動手段を更に備えていることが好ましい。
【００２４】
映像信号を受信する送信装置から送信される予約視聴開始時間であることを示す情報とは、例えば、予約視聴開始時間であることを示す通知や、視聴予約された番組の映像信号である。
【００２５】
上記受信部はこのような情報を送信装置から受け取ることにより、ユーザが視聴予約した番組の番組スケジュールの変更等によって開始時刻が変更された場合であっても、ユーザが視聴予約した番組が開始するまで、表示装置をスタンバイ状態にすることができる。よって、より好適に表示装置の消費電力を消費することができる。
【００２６】
上記の課題を解決するために、本発明における表示装置の制御方法は、送信装置より送信された映像信号を受信する受信部を備え、該受信部が受信した映像信号が表す映像を表示する表示装置の制御方法であって、ユーザからスタンバイ状態への遷移を指示されたときに、前記受信部への電力供給を停止するか否かを、予約視聴開始までの残り時間に応じて決定する決定工程を含むことを特徴としている。
【００２７】
上記の構成によれば、本発明に係る表示装置と同様の効果を奏する。
【００２８】
上記の課題を解決するために、本発明における表示装置の制御方法は、送信装置より送信された映像信号を受信する受信部を備え、該受信部が受信した映像信号が表す映像を表示する表示装置の制御方法であって、スタンバイ状態において予約視聴開始までの残り時間が所定の閾値を下回ったときに、上記受信部への電力供給を開始する電力供給工程を含むことを特徴としている。
【００２９】
上記の構成によれば、本発明に係る表示装置と同様の効果を奏する。
【００３０】
なお、映像信号を送信する送信装置と、上記表示装置とを備えることを特徴とするシステムも本発明の範疇に含まれる。
【００３１】
また、上記表示装置としてコンピュータを動作させるプログラムであって、コンピュータを前記各手段として機能させるためのプログラム、および、そのようなプログラムを記録した、コンピュータ読み取り可能な記録媒体も本発明の範疇に含まれる。
【発明の効果】
【００３２】
本発明は、送信装置より送信された映像信号を受信する受信部を備え、該受信部が受信した映像信号が表す映像を表示する表示装置において、ユーザからスタンバイ状態への遷移を指示されたときに、前記受信部への電力供給を停止するか否かを、予約視聴開始までの残り時間に応じて決定する決定手段を備えていることを特徴としている。
【００３３】
また、本発明は、送信装置より送信された映像信号を受信する受信部を備え、該受信部が受信した映像信号が表す映像を表示する表示装置において、スタンバイ状態において予約視聴開始までの残り時間が所定の閾値を下回ったときに、上記受信部への電力供給を開始する電力供給手段を備えていることを特徴としている。
【００３４】
よって、表示装置が消費する電力を好適に小さくすることができる。
【図面の簡単な説明】
【００３５】
【図１】テレビジョンシステムの構成を示したブロック図である。
【図２】テレビジョンシステムにおける電源モードの一例を示した図である。
【図３】ディスプレイが電源オフ状態へ遷移する際の流れの一例を示すフローチャートである。
【図４】ディスプレイが電源オフ状態へ遷移する際の流れの他の例を示すフローチャートである。
【発明を実施するための形態】
【００３６】
以下、本発明の実施の形態について、詳細に説明する。
【００３７】
（テレビジョンシステム１の概略）
まず、図１を参照して本発明に係るテレビジョンシステム（表示システム）１の概略を説明する。図１は、本実施形態におけるテレビジョンシステム１の構成を示したブロック図である。図１に示すように、テレビジョンシステム１は、ＳＴＢ（送信装置、ソース機器）１００とディスプレイ（表示装置、シンク機器）２００とを備えている。
【００３８】
ＳＴＢ１００とディスプレイ２００とは、互いに無線通信を行うことができる。ディスプレイ２００は、ＳＴＢ１００から送信された映像信号を受信し、受信した映像信号が表す映像を表示する。つまり、テレビジョンシステム１は、いわゆるセパレート型のテレビジョンシステムである。なお、図１に示すブロック図は、ＳＴＢ１００およびディスプレイ２００が有する各種機能のうち、本発明に特有なものを表現したものであり、ＳＴＢ１００およびディスプレイ２００が、図１に示されていない機能を有していてもよいことは言うまでもない。
【００３９】
（ＳＴＢ１００の概略）
次に、図１を参照してＳＴＢ１００の概略について説明を行う。ＳＴＢ１００は、時計情報取得部１０１、時計情報管理部１０２、時計情報送信部１０３、予約時刻監視部１０４、機器電源ＯＮ処理部１０５、予約情報管理部１０６、予約情報受信部１０７、予約情報送信部１０８、予約有無応答部１０９、無線通信入切制御部１１０、機器電源ＯＦＦ処理部１１１、スタンバイモード要求部１１２、スタンバイモード管理部１１３、スタンバイモード受信部１１４および無線通信制御部１１５を備えている。
【００４０】
ＳＴＢ１００の時計情報取得部１０１は、アンテナ（図示しない）が外部から受信した日付、時刻および曜日等の時計情報（時刻情報）を取得し、時計情報を管理する時計情報管理部１０２に取得した時計情報を供給する。時計情報送信部１０３は、時計情報管理部１０２から時計情報を取得し、無線通信制御部１１５を介してディスプレイ２００に送信する。
【００４１】
予約情報管理部１０６は、予約情報を管理する。また、予約情報管理部１０６は、後述する電源モードを管理する。ここで、予約情報とは、ユーザによって設定された映像（番組）の視聴の予約の時間（予約視聴開始時間、予約視聴終了時間など）、チャンネル、番組等を示す情報である。
【００４２】
予約時刻監視部１０４は、時計情報管理部１０２から取得した時計情報と、予約情報管理部１０６から取得した予約時間とを参照し、予約視聴開始時間になったか否かを監視する。予約時刻監視部１０４は、予約視聴開始時間になったとき、ＳＴＢ１００の電源をＯＮにするよう機器電源ＯＮ処理部１０５に指示する。そして、機器電源ＯＮ処理部１０５は、予約時刻監視部１０４からの指示に従いＳＴＢ１００の電源をＯＮにする。また、予約時刻監視部１０４は、予約視聴開始時間になったとき、アンテナが受信した映像信号を、無線通信制御部１１５を介して、ディスプレイ２００に送信し始める。なお、予約時刻監視部１０４は、予約視聴開始時間になったときに、時計情報管理部１０２および時計情報送信部１０３を介して、予約視聴開始時間になったことを示す通知をディスプレイ２００に送信してもよい。
【００４３】
予約情報受信部１０７は、ディスプレイ２００から送信された予約情報であって、ユーザ等によりディスプレイ２００に設定された予約情報を、無線通信制御部１１５を介して受信し、予約情報管理部１０６へ供給する。予約情報送信部１０８は、予約情報管理部１０６が管理している予約情報を、無線通信制御部１１５を介して、ディスプレイ２００に送信する。
【００４４】
予約有無応答部１０９は、予約情報管理部１０６またはディスプレイ２００から送信された予約情報を参照し、予約の有無を確認（判別）する。予約有無応答部１０９は、確認結果を、予約情報管理部１０６を介して、スタンバイモード管理部１１３に供給する。また、予約有無応答部１０９は、確認結果を、無線通信制御部１１５を介してディスプレイ２００に送信する。
【００４５】
機器電源ＯＦＦ処理部１１１は、ディスプレイ２００から通知された電源モードを、無線通信制御部１１５を介して受信し、受信した電源モードを無線通信入切制御部１１０に送信すると共に、当該電源モードに基づいて、無線通信制御部１１５以外のＳＴＢ１００内の部材の電源をオフ（スタンバイ状態）に遷移させる。
【００４６】
無線通信入切制御部１１０は、無線通信を行うか否かを制御する。具体的には、機器電源ＯＦＦ処理部１１１から電源モードを受信すると、無線通信入切制御部１１０は、無線通信制御部１１５への電力供給を停止するか否かを制御する。
【００４７】
スタンバイモード要求部１１２は、ディスプレイ２００で設定された予約スタンバイモードの設定値を、無線通信制御部１１５を介してディスプレイ２００に要求する。スタンバイモード受信部１１４は、ディスプレイ２００から送信された予約スタンバイモードの設定値を、無線通信制御部１１５を介して受信し、スタンバイモード管理部１１３に供給する。スタンバイモード管理部１１３は、スタンバイモード受信部１１４から受信した予約スタンバイモードの設定値を管理する。なお、予約スタンバイモードについては後述する。
【００４８】
無線通信制御部１１５は、ディスプレイ２００との通信を確立させるように制御を行なう。具体的には、無線通信制御部１１５は、アンテナが受信した映像信号を、ディスプレイ２００に送信する。
【００４９】
（ディスプレイ２００の概略）
次に、図１を参照してディスプレイ２００の概略について説明を行う。ディスプレイ２００は、予約情報受付部２０１、時計情報管理部２０２、時計情報受信部２０３、予約時刻監視部（決定手段）２０４、機器電源ＯＮ処理部（起動手段）２０５、予約情報管理部（決定手段、電力供給手段、同期手段）２０６、予約情報受信部２０７、予約情報送信部２０８、予約有無確認部（予約有無確認手段）２０９、無線通信入切制御部（電力供給手段）２１０、機器電源ＯＦＦ処理部２１１、スタンバイモード受付部２１２、スタンバイモード管理部（スタンバイ状態設定手段）２１３、スタンバイモード送信部２１４および無線通信制御部（受信部）２１５を備えている。
【００５０】
ディスプレイ２００の時計情報受信部２０３は、ＳＴＢ１００が送信した時刻情報を、無線通信制御部２１５を介して受信し、時計情報を管理する時計情報管理部２０２に供給
する。
【００５１】
予約情報管理部２０６は、予約情報を管理する。また、予約情報管理部２０６は、後述する電源モードを管理する。
【００５２】
予約時刻監視部２０４は、時計情報管理部２０２から取得した時計情報と、予約情報管理部２０６から取得した予約時間とを参照し、予約視聴開始までの残り時間が予め定められた時間以内か否かを監視する。また、予約時刻監視部２０４は、予約視聴開始時間になったときに、ＳＴＢ１００から送信される映像信号を、ＳＴＢ１００から無線通信制御部２１５を介して取得する。予約時刻監視部２０４は、上記映像信号を受け取ると、ディスプレイ２００の電源をＯＮにするよう機器電源ＯＮ処理部２０５に指示する。そして、機器電源ＯＮ処理部２０５は、予約時刻監視部２０４からの指示に従いディスプレイ２００の電源をＯＮにする。なお、予約時刻監視部２０４は、予約視聴開始時間になったときに、予約視聴開始時間になったことを示す通知を受信したとき、ディスプレイ２００の電源をＯＮにするよう機器電源ＯＮ処理部２０５に指示してもよい。
【００５３】
また、予約時刻監視部２０４は、例えば、予約時刻の監視を開始し、ディスプレイ２００がスタンバイ状態に移行する前に、時計情報管理部２０２に現在の時刻を送信する旨の指示を送信する構成であってもよい。時計情報管理部２０２は、上記指示に従い、予約時刻監視部２０４に時刻を送信する。
【００５４】
予約情報受付部２０１は、ユーザからリモコン等を用いて入力された予約情報を受け付け、予約情報管理部２０６に供給する。
【００５５】
予約情報受信部２０７は、ＳＴＢ１００から送信された予約情報であって、ユーザ等によりＳＴＢ１００に設定された予約情報を、無線通信制御部２１５を介して受信し、予約情報管理部２０６へ供給する。予約情報送信部２０８は、予約情報管理部２０６が管理している予約情報を、無線通信制御部２１５を介して、ＳＴＢ１００に送信する。
【００５６】
予約有無確認部２０９は、ＳＴＢ１００から送信された予約情報または予約の有無の情報を参照し、予約の有無を確認（判別）する。予約有無確認部２０９は、確認結果を、機器電源ＯＦＦ処理部２１１に供給する。また、予約有無確認部２０９は、確認結果を、無線通信制御部２１５を介してＳＴＢ１００に送信する。
【００５７】
機器電源ＯＦＦ処理部２１１は、予約情報管理部２０６からスタンバイモード管理部２１３を介して供給された電源モードを無線通信入切制御部２１０に送信すると共に、当該電源モードに基づき、無線通信制御部２１５以外のディスプレイ２００内の部材の電源をオフ（スタンバイ状態）に遷移させる。
【００５８】
無線通信入切制御部２１０は、無線通信を行うか否かを制御する。具体的には、機器電源ＯＦＦ処理部２１１から電源モードを受信すると、無線通信入切制御部２１０は、当該電源モードに基づき、無線通信制御部２１５への電力供給を停止するか否かを制御する。
【００５９】
スタンバイモード受付部２１２は、ユーザからリモコン等を用いて入力された予約スタンバイモードの設定値を受け付け、スタンバイモード管理部２１３に供給する。
【００６０】
スタンバイモード管理部２１３は、スタンバイモード受付部２１２が受け付けた予約スタンバイモードの設定値を管理する。また、ＳＴＢ１００から予約スタンバイモードの設定値の要求に基づいて、管理している予約スタンバイモードの設定値をスタンバイモード送信部２１４に供給する。
【００６１】
スタンバイモード送信部２１４は、無線通信制御部２１５を介してＳＴＢ１００に、スタンバイモード管理部２１３が管理している予約スタンバイモードの設定値を送信する。
【００６２】
無線通信制御部２１５は、ＳＴＢ１００との通信を確立させるように制御を行なう。具体的には、無線通信制御部１１５は、ＳＴＢ１００から送信された映像信号を受信し、当該映像信号が表す映像を表示する表示部（図示しない）に供給する。
【００６３】
（電源モード）
次に、図２を参照して、本実施形態における電源モードについて説明を行う。図２は、テレビジョンシステム１における電源モードの一例を示した図である。
【００６４】
電源モードとは、ディスプレイ２００の電源がオン（ＯＮ）の状態からディスプレイ２００の電源をオフ（ＯＦＦ）した際、ディスプレイ２００とＳＴＢ１００とが遷移する状態（電源オフ状態）を設定したものである。電源モードの値（設定値）は、ディスプレイ２００およびＳＴＢ１００の両方で保持（管理）される。なお、ＳＴＢ１００において、電源モードの設定値は、予約情報管理部１０６で管理されてもよいし、その他の部材で管理されてもよい。また、ディスプレイ２００において、電源モードの設定値は、予約情報管理部２０６で管理されてもよいし、その他の部材で管理されてもよい。本例においては、予約情報管理部１０６および予約情報管理部２０６が電源モードの設定値を管理するものとして、説明を行う。
【００６５】
また、電源モードは、ディスプレイ２００で設定されるものであってもよいし、ＳＴＢ１００で設定されるものであってもよい。電源モードがＳＴＢ１００で設定される場合、例えば、ＳＴＢ１００の設定メニューの、メニュー→設定→視聴準備→各種設定と遷移した画面において、電源モードの設定を行うようなユーザインタフェースから設定を行う。
【００６６】
図２に示すように、電源モードは、「Ｑｕｉｃｋ」、「Ｎｏｒｍａｌ」および「Ｓｔａｎｄｂｙ」の３つのモードがある。なお、電源モードは、この３つに限定されるものではない。
【００６７】
電源モードが「Ｑｕｉｃｋ」とは、図２に示すようにディスプレイ２００の電源オフ状態が「Ｗｉｒｅｌｅｓｓ−Ｒｅａｄｙ」であり、ＳＴＢ１００の電源オフ状態が「Ｑｕｉｃｋ」であり、録画予約、視聴予約および電源オン連動が可能であることを示している。
【００６８】
ここで、ディスプレイ２００の電源オフ状態がＷｉｒｅｌｅｓｓ−Ｒｅａｄｙであるとは、ディスプレイ２００の電源をオフにした際、無線通信制御部２１５の電源がオンの状態であり、そのほかのディスプレイ２００内の部材の電源がオフの状態（スタンバイ状態）であることを示す。なお、ユーザのリモコン操作等の受付および時刻管理等ができる程度の小さなマイコンが起動した状態であることはいうまでもない。以下、ディスプレイ２００およびＳＴＢ１００の電源がオフの状態においては、上記マイコンが起動しているとする。
【００６９】
また、ＳＴＢ１００の電源オフ状態がＱｕｉｃｋであるとは、ＳＴＢ１００の電源をオフにした際、ユーザによってＳＴＢ１００の電源ボタンを押下されたときや、ユーザから何らかの指示を受け付けたときに、全ての部材をすぐに起動できる状態であることを示す。また、電源オン連動が可能であるとは、ＳＴＢ１００とディスプレイ２００との電源を連動してオンにすることができることを示す。なお、本実施形態では、「Ｑｕｉｃｋ」の電源モードを、予約スタンバイ状態とも呼ぶ。
【００７０】
また、電源モードが「Ｎｏｒｍａｌ」とは、図２に示すようにディスプレイ２００の電源オフ状態が「Ｓｔａｎｄｂｙ」であり、ＳＴＢ１００の電源オフ状態が「Ｗｉｒｅｌｅｓｓ−Ｒｅａｄｙ」であり、録画予約および電源オン連動が可能であることを示している。
【００７１】
ここで、ディスプレイ２００の電源オフ状態がＳｔａｎｄｂｙであるとは、ディスプレイ２００の電源をオフにした際、ディスプレイ２００の全ての部材がスタンバイ状態であることを示す。このとき無線通信制御部２１５の電源は、オフまたはスタンバイ状態となる。
【００７２】
また、ＳＴＢ１００の電源オフ状態がＷｉｒｅｌｅｓｓ−Ｒｅａｄｙであるとは、ＳＴＢ１００の電源をオフにした際、無線通信制御部１１５の電源がオンの状態であり、そのほかのＳＴＢ１００内の部材の電源がオフの状態であることを示す。
【００７３】
なお、本実施形態では、「Ｎｏｒｍａｌ」の電源モードを、通常スタンバイ状態とも呼ぶ。
【００７４】
また、電源モードが「Ｓｔａｎｄｂｙ」とは、図２に示すようにディスプレイ２００の電源オフ状態が「Ｓｔａｎｄｂｙ」であり、ＳＴＢ１００の電源オフ状態が「Ｓｔａｎｄｂｙ」であり、録画予約が可能であることを示している。
【００７５】
ここで、ＳＴＢ１００の電源オフ状態がＳｔａｎｄｂｙであるとは、ＳＴＢ１００の電源をオフにした際、ＳＴＢ１００の全ての部材がスタンバイ状態であることを示す。このとき無線通信制御部１１５の電源は、オフまたはスタンバイ状態となる。
【００７６】
ユーザは、これら３つのモードをテレビジョンシステム１に設定することができる。なお、テレビジョンシステム１に予め設定された電源オフ状態の初期値は、当該テレビジョンシステム１が使用される場所や対象者によって、適切な値となるように設定する。
【００７７】
ユーザが、ＳＴＢ１００で電源モードの設定を行った場合、ＳＴＢ１００の予約情報管理部１０６は、設定された電源モードを示す情報（電源モード情報）を、管理する。また、ＳＴＢ１００は、設定された電源モード情報をディスプレイ２００に送信する。ＳＴＢ１００は、例えば、ＳＴＢ１００とディスプレイ２００とがＨＤＭＩ接続されているとき、ＣＥＣコマンド等を用い、設定された電源モード情報を送信することができる。なお、設定された電源モード情報の送信方法はこれに限定されるものではなく、そのほかの通信方法を用いて送信することもできる。
【００７８】
また、ＳＴＢ１００とディスプレイ２００との電源モードの同期は、設定が完了したタイミングに限定されず、ＳＴＢ１００とディスプレイ２００とが接続されている間は、常に同期を取るようにしてもよいし、一定の時間ごとに同期を取るようにしてもよい。
【００７９】
なお、ディスプレイ２００で電源モードの設定が行われた場合であっても、ディスプレイ２００からＳＴＢ１００へ電源モード情報が送信されることにより、上述のように同期を取ることができる。
【００８０】
（電源オフ状態への遷移）
次に、テレビジョンシステム１のＳＴＢ１００およびディスプレイ２００の電源がオフの状態へ遷移するときの流れについて説明する。
【００８１】
ユーザによって電源ボタンが押下された等により、ディスプレイ２００の電源がオフになった場合、ディスプレイ２００は、設定された電源モードに応じた電源オフ状態に遷移する。例えば、テレビジョンシステム１の電源モードが「Ｎｏｒｍａｌ」に設定されていた場合、ディスプレイ２００は、図２に示すように、スタンバイ状態に遷移する。
【００８２】
また、ディスプレイ２００およびＳＴＢ１００に自動電源オフ（オフタイマー等）が設定されており、当該自動電源オフが動作した場合、ディスプレイ２００およびＳＴＢ１００は、設定された電源モードに応じた電源オフ状態に遷移する。
【００８３】
ユーザによって電源ボタンが押下された等により、ＳＴＢ１００の電源がオフになった場合、ＳＴＢ１００は、どのような電源モードであっても、スタンバイ状態に遷移する。なお、このとき、電源の状態を示すＬＥＤは、赤点灯（オフ状態）を示す。また、ディスプレイ２００の電源の状態は変化させない。
【００８４】
ＳＴＢ１００とディスプレイ２００との無線接続が切断されたとき、ＳＴＢ１００は、ＱｕｉｃｋまたはＳｔａｎｄｂｙの電源オフ状態に遷移する。このとき、電源の状態を示すＬＥＤは、オレンジ点灯（スタンバイ状態）を示す。また、ディスプレイ２００の電源の状態は変化させない。
【００８５】
ＳＴＢ１００の電源オフ状態がＷｉｒｅｌｅｓｓ−Ｒｅａｄｙ状態であるときに、ユーザがＳＴＢ１００の電源ボタンを押下すると、ＳＴＢ１００はスタンバイ状態に遷移する。
【００８６】
（電源オフ状態からの遷移）
次に、テレビジョンシステム１のＳＴＢ１００およびディスプレイ２００の電源がオフの状態から、オンの状態へ遷移するときの流れについて説明する。
【００８７】
ディスプレイ２００の電源がオフの状態において、ユーザがディスプレイ２００の電源ボタンを押下したとき、ディスプレイ２００は電源オンの状態へ遷移する。このとき、ＳＴＢ１００がスタンバイ状態でないとき、つまり、ＳＴＢ１００の電源オフ状態がＱｕｉｃｋまたはＷｉｒｅｌｅｓｓ−Ｒｅａｄｙ状態であるとき、ＳＴＢ１００も電源オンの状態へ遷移する（電源オン連動）。
【００８８】
ＳＴＢ１００がスタンバイ状態のとき、ユーザによってＳＴＢ１００の電源ボタンが押下されることによって、ＳＴＢ１００は電源オンの状態へ遷移する。このとき、ＳＴＢ１００の電源の状態を示すＬＥＤは、緑点灯（オン状態）を示す。ただし、ＳＴＢ１００は、予め定められた時間（例えば、１分）以内に、ディスプレイ２００と無線接続ができない場合、自動的にＷｉｒｅｌｅｓｓ−Ｒｅａｄｙ状態に遷移する。また、このとき、ＳＴＢ１００の電源の状態を示すＬＥＤは、オレンジ点灯を示す。
【００８９】
（予約スタンバイモードの設定）
次に、予約スタンバイモードの設定について、説明を行う。予約スタンバイモードとは、視聴予約が設定されたときに、電源モードを「Ｑｕｉｃｋ」または「Ｎｏｒｍａｌ」に設定することを示す情報である。ユーザは、テレビジョンシステム１に予約スタンバイモードを設定することができる。
【００９０】
予約スタンバイモードをテレビジョンシステム１に設定する際、例えば、ディスプレイ２００の設定メニューにおいて、予約スタンバイモードの入切の設定を行うようなユーザインタフェースから設定を行う。ディスプレイ２００のスタンバイモード受付部２１２は、ユーザによって入力された予約スタンバイモードの設定値（入切を示す情報）を受け付け、スタンバイモード管理部（サブマイコン）２１３に供給する。スタンバイモード送信部２１４は、スタンバイモード管理部２１３が管理している予約スタンバイモードの設定値をＳＴＢ１００に送信することにより、ＳＴＢ１００とディスプレイ２００とが管理している予約スタンバイモードの同期を取る。
【００９１】
ユーザによって、予約スタンバイモードが入と設定された場合、視聴予約された時間になるまで、テレビジョンシステム１は、上述した「Ｑｕｉｃｋ」または「Ｎｏｒｍａｌ」に設定された電源モードの電源オフ状態に遷移する。なお、視聴予約時に、予約スタンバイモードが入と設定されていない場合、ＳＴＢ１００および／またはディスプレイ２００は、予約スタンバイモードが入の設定になっていないことを示す警告を通知してもよい。
【００９２】
なお、予約スタンバイモードの設定をディスプレイ２００にて行うことについて、説明を行ったが、予約スタンバイモードの設定は、ＳＴＢ１００で行われる構成であってもよい。
【００９３】
また、予約スタンバイモードの設定をユーザが行うことについて説明を行ったが、予約スタンバイモードの設定は自動で行われてもよい。まず、ＳＴＢ１００の予約情報送信部１０８は、予約情報管理部１０６が管理している予約情報をディスプレイ２００に送信し、ディスプレイ２００の予約情報受信部２０７が当該予約情報を受信する。予約情報受信部２０７は、受信した予約情報を予約情報管理部２０６に供給することにより、ＳＴＢ１００およびディスプレイ２００で夫々管理している予約情報の同期を取る。または、ディスプレイ２００の予約情報送信部２０８は、予約情報管理部２０６が管理している予約情報をＳＴＢ１００に送信し、ＳＴＢ１００の予約情報受信部１０７が当該予約情報を受信する。予約情報受信部１０７は、受信した予約情報を予約情報管理部２０６に供給することにより、ＳＴＢ１００およびディスプレイ２００で夫々管理している予約情報の同期を取る。
【００９４】
そして、ＳＴＢ１００の予約有無応答部１０９は、予約情報管理部１０６で管理されている予約情報から、視聴予約の有無を判別し、判別結果を、無線通信制御部１１５を介してディスプレイ２００に送信する。ディスプレイ２００の予約有無確認部２０９は、受信した判別結果より、視聴予約の有無を確認する。その後、予約有無確認部２０９は、確認結果を、機器電源ＯＦＦ処理部２１１を介してスタンバイモード管理部２１３に供給する。
【００９５】
スタンバイモード管理部２１３は、予約有無確認部２０９から供給された確認結果より、視聴予約が有れば、予約スタンバイモードを入に設定し、視聴予約が無ければ、予約スタンバイモードを切に設定する。予約スタンバイモードが入と設定された場合、テレビジョンシステム１の電源モードは、「Ｑｕｉｃｋ」または「Ｎｏｒｍａｌ」に設定される。そして、スタンバイモード送信部２１４は、スタンバイモード管理部２１３が管理している予約スタンバイモードの設定値をＳＴＢ１００に送信することにより、ＳＴＢ１００とディスプレイ２００とが管理している予約スタンバイモードの同期を取る。
【００９６】
なお、予約有無応答部１０９が、視聴予約の有無の判別をするタイミングは特に限定されない。予約有無応答部１０９は、視聴予約の有無を、視聴予約が行われたときに判別してもよい。また、予約有無応答部１０９は、視聴予約の有無を、ディスプレイ２００が起動している間、予め定められた時間ごとに、バックグラウンドで判別してもよい。また、予約有無応答部１０９は、ユーザによってディスプレイ２００の電源がオフにされ、ディスプレイ２００が電源オフ状態に遷移する前に、視聴予約の有無を判別してもよい。
【００９７】
（予約スタンバイモードが設定されたときの電源オフ状態への遷移）
次に、上述した予約スタンバイモードが入に設定されているとき、つまり、スタンバイモード管理部２１３によって管理された情報が、ディスプレイ２００を予約起動可能なスタンバイ状態へ遷移させることを示す情報であったときのテレビジョンシステム１の電源オフ状態への遷移について、図３を参照して説明を行う。図３は、テレビジョンシステム１のディスプレイ２００が電源オフ状態へ遷移する際の流れの一例を示すフローチャートである。
【００９８】
ユーザからテレビジョンシステム１のＳＴＢ１００およびディスプレイ２００の電源をオフにする（スタンバイ状態へ遷移する）よう指示されたときに、無線通信部２１５は当該指示を受信したか否かを判定し（ステップＳ３１。以下、単にＳ３１とする。）、受信していない場合（Ｓ３１にてＮＯ）、Ｓ３１を繰り返す。上記指示を受信している場合（Ｓ３１にてＹＥＳ）、ディスプレイ２００の予約時刻監視部２０４は、時計情報管理部２０２から取得した時計情報と、予約情報を管理している予約情報管理部２０６から取得した予約時間とを参照し、予約視聴開始までの残り時間が予め定められた時間以内であるか否かを判別する（Ｓ３２）。同様に、ＳＴＢ１００の予約時刻監視部１０４も、予約視聴開始までの残り時間が予め定められた時間以内であるか否かを判別する。
【００９９】
予約時刻監視部２０４が、予約視聴開始までの残り時間が予め定められた時間以内でないと判別したとき（Ｓ３２にてＮＯ）、予約情報管理部２０６は、ディスプレイ２００の電源モードを「Ｎｏｒｍａｌ」（通常スタンバイ状態）に設定する（Ｓ３３）。そして、予約情報管理部２０６は、スタンバイモード管理部２１３を介して、機器電源ＯＦＦ処理部２１１に通常スタンバイ状態に設定したことを通知する。また、予約情報管理部２０６は、予約情報送信部２０８を介して、ＳＴＢ１００に通常スタンバイ状態に設定したことを通知する。
【０１００】
その後、機器電源ＯＦＦ処理部２１１は、設定された電源モードに従い、無線通信制御部２１５以外のディスプレイ２００の各部をスタンバイ状態に遷移させる。また、無線通信入切制御部２１０は、無線通信制御部２１５への電力供給を停止する（Ｓ３４）。なお、無線通信制御部２１５への電力供給が停止されている場合は、無線通信入切制御部２１０は、無線通信制御部２１５への電力供給を停止したままにする。
【０１０１】
また、ＳＴＢ１００の機器電源ＯＦＦ処理部１１１は、ディスプレイ２００から通知された電源モード（「Ｎｏｒｍａｌ」）に従い、無線通信制御部１１５以外のＳＴＢ１００の各部をスタンバイ状態に遷移させる。なお、無線通信入切制御部１１０は、無線通信制御部１１５への電力供給を供給したままにする。なお、ＳＴＢ１００の機器電源ＯＦＦ処理部１１１は、予約時刻監視部１０４によって判別された結果に基づき予約情報管理部１０６が設定した電源モードに従って、無線通信制御部１１５以外のＳＴＢ１００の各部をスタンバイ状態に遷移させてもよい。
【０１０２】
その後、Ｓ３２に戻り、再度、予約時刻監視部２０４は、予約視聴開始までの残り時間が予め定められた時間以内か否かを判別する。
【０１０３】
予約時刻監視部２０４が、予約視聴開始までの残り時間が予め定められた時間以内であると判別したとき（Ｓ３２にてＹＥＳ）、予約情報管理部２０６は、ディスプレイ２００の電源モードを「Ｑｕｉｃｋ」（予約スタンバイ状態）に設定する（Ｓ３５）。そして、予約情報管理部２０６は、スタンバイモード管理部２１３を介して、機器電源ＯＦＦ処理部２１１に予約スタンバイ状態に設定したことを通知する。また、予約情報管理部２０６は、予約情報送信部２０８を介して、ＳＴＢ１００に予約スタンバイ状態に設定したことを通知する。
【０１０４】
なお、予約時刻監視部２０４が、予約視聴開始までの残り時間を判別するタイミングは、（１）ユーザからテレビジョンシステム１をスタンバイ状態へ遷移するよう指示されたとき、（２）上述した通常スタンバイ状態に遷移した後の予め定められた時間ごと、であるが、これに限定されず、随時判別してもよい。
【０１０５】
その後、機器電源ＯＦＦ処理部２１１は、設定された電源モードに従い、無線通信制御部２１５以外のディスプレイ２００の各部をスタンバイ状態に遷移させる。また、無線通信入切制御部２１０は、無線通信制御部２１５へ電力を供給する（Ｓ３６）。なお、無線通信制御部２１５へ電力の供給がされている場合、無線通信入切制御部２１０は、無線通信制御部２１５への電力供給を供給したままにする。
【０１０６】
また、ＳＴＢ１００の機器電源ＯＦＦ処理部１１１は、ディスプレイ２００から通知された電源モード（「Ｑｕｉｃｋ」）に従い、無線通信制御部１１５以外のＳＴＢ１００の各部をすぐに起動できる状態（Ｑｕｉｃｋ状態）に遷移させる。なお、無線通信入切制御部１１０は、無線通信制御部１１５への電力供給を供給したままにする。なお、ＳＴＢ１００の機器電源ＯＦＦ処理部１１１は、予約時刻監視部１０４によって判別された結果に基づき予約情報管理部１０６が設定した電源モードに従って、無線通信制御部１１５以外のＳＴＢ１００の各部をＱｕｉｃｋ状態に遷移させてもよい。
【０１０７】
その後、予約視聴開始時間になると、予約時刻監視部１０４は、アンテナが受信した映像信号を、無線通信制御部１１５を介して、ディスプレイ２００に送信し始める。なお、予約時刻監視部１０４は、予約視聴開始時間になったことを示す通知をディスプレイ２００に送信してもよい。
【０１０８】
ディスプレイ２００の無線通信制御部２１５は、予約視聴開始時間か否かを確認する（Ｓ３７）。具体的には、無線通信制御部２１５は、映像信号および／または予約視聴開始時間になったことを示す通知を受信したか否かを確認する。予約視聴開始時間でない場合（Ｓ３７にてＮＯ）、無線通信制御部２１５は、Ｓ３７を繰り返す。予約視聴開始時間である場合（Ｓ３７にてＹＥＳ）、無線通信制御部２１５は、機器電源ＯＮ処理部２０５に当該情報を送信する。そして、機器電源ＯＮ処理部２０５は、ディスプレイ２００の各部の電源をオンにする（Ｓ３８）。
【０１０９】
予約スタンバイモードが設定されているとき、テレビジョンシステム１には視聴予約が登録されている。そして、予約時刻監視部２０４は、登録された視聴予約の視聴開始までの残り時間が予め定められた時間以内か否かを判別し、予約情報管理部２０６は、判別結果に応じて、電源モードを決定する。つまり、予約情報管理部２０６は、ディスプレイ２００をスタンバイ状態にするとき、無線通信制御部２１５への電力の供給を停止するか（通常スタンバイ状態）、無線通信制御部２１５への電力の供給を停止しないか（予約スタンバイ状態）を、予約視聴開始までの残り時間が予め定められた時間以内か否かに応じて、決定する。そして、ディスプレイ２００は、決定された電力モードに遷移する。
【０１１０】
これにより、予約視聴開始までの残り時間が予め定められた時間であるとき、ディスプレイ２００の無線通信制御部２１５への電力の供給を停止しないため、ディスプレイ２００は、例えば、予約視聴開始の時刻になったときにディスプレイ２００を起動させる情報等、をＳＴＢ１００から受信することができる。また、予約視聴開始までの残り時間が予め定められた時間でないとき、ディスプレイ２００の無線通信制御部２１５への電力の供給を停止することができる。よって、ディスプレイ２００が消費する電力を好適に小さくすることができる。
【０１１１】
また、通常スタンバイ状態に遷移した後、つまり、無線通信制御部２１５への電力の供給を停止した後、予約時刻監視部２０４は、登録された予約視聴開始までの残り時間が予め定められた時間以内か否かを判別し、予約情報管理部２０６は、判別結果に応じて、電源モードを決定する。つまり、予約情報管理部２０６は、無線通信制御部２１５への電力の供給を開始しないか（通常スタンバイ状態のままか）、無線通信制御部２１５への電力の供給を開始するか（予約スタンバイ状態に遷移するか）を、予約視聴開始までの残り時間が予め定められた時間以内か否かに応じて決定する。
【０１１２】
これにより、予約視聴開始までの残り時間が予め定められた時間以内になるまで、ディスプレイ２００の無線通信制御部２１５への電力供給を停止し、予約視聴開始までの残り時間が予め定められた時間以内になって、無線通信制御部２１５への電力供給を開始する。よって、視聴予約が行われた場合であっても、ディスプレイ２００の消費電力を低減させることができる。
【０１１３】
〔変形例〕
次に、予約スタンバイモードが設定されており、ディスプレイ２００がスタンバイ状態である場合において、予約スタンバイ状態への遷移の変形例について、図４を参照して説明を行う。図４は、テレビジョンシステム１のディスプレイ２００が電源オフ状態へ遷移する際の流れの他の例を示すフローチャートである。
【０１１４】
本例では、ディスプレイ２００は、（１）通常スタンバイ状態に遷移した、（２）電源モードが「Ｎｏｒｍａｌ」または「Ｓｔａｎｄｂｙ」であるときに、ユーザによってディスプレイ２００の電源ボタンが押下された、または、（３）電源モードが「Ｎｏｒｍａｌ」または「Ｓｔａｎｄｂｙ」であるときに、オフタイマーが動作した、等により、スタンバイ状態であるとする。このとき、無線通信制御部２１５への電力供給も停止している。
【０１１５】
ディスプレイ２００の予約情報管理部２０６は、カウンター等により、予約視聴開始までの残り時間が所定の閾値を下回るか否かを判別する（Ｓ４１）。このとき、予約情報管理部２０６は、所定の時間ごとに機器電源ＯＮ処理部２０５に対し、バックグラウンドで無線通信制御部２１５を含んだディスプレイ２００の各部を起動するよう指示する。機器電源ＯＮ処理部２０５が所定時間ごとにバックグラウンドでディスプレイ２００の各部を一時的に起動することにより、予約情報管理部２０６は、視聴予約した番組の番組スケジュールの変更等によって変更された開始時刻等の番組情報を受信することができる。また、予約情報管理部２０６は、時計情報管理部２０２を介して時計情報を受信することができるため、カウンターのずれを補正することができる。
【０１１６】
予約情報管理部２０６は、時計情報および視聴予約した番組の番組情報を受信すると、スタンバイモード管理部２１３を介して機器電源ＯＦＦ処理部２１１にディスプレイ２００をスタンバイ状態に遷移させるよう指示する。
【０１１７】
なお、スタンバイ状態に遷移したことにより、カウンターの情報が失われた場合、再度機器電源ＯＮ処理部２０５に対して、バックグラウンドでディスプレイ２００を起動するよう指示し、カウンターを同期させてもよい。
【０１１８】
予約視聴開始までの残り時間が所定の閾値を下回っていないとき（Ｓ４１にてＮＯ）、予約情報管理部２０６は、Ｓ４１を繰り返す。
【０１１９】
予約視聴開始までの残り時間が所定の閾値を下回ったとき（Ｓ４１にてＹＥＳ）、予約情報管理部２０６は、無線通信入切制御部２１０に対し、無線通信制御部２１５への電力供給を行うように指示する。そして、無線通信入切制御部２１０は、当該指示に従い、無線通信制御部２１５へ電力供給を開始する（Ｓ４２）。
【０１２０】
その後、予約視聴開始時間になると、予約時刻監視部１０４は、アンテナが受信した映像信号を、無線通信制御部１１５を介して、ディスプレイ２００に送信し始める。なお、予約時刻監視部１０４は、予約視聴開始時間になったことを示す通知をディスプレイ２００に送信してもよい。
【０１２１】
ディスプレイ２００の無線通信制御部２１５は、予約視聴開始時間か否かを確認する（Ｓ４３）。具体的には、無線通信制御部２１５は、映像信号および／または予約視聴開始時間になったことを示す通知を受信したか否かを確認する。予約視聴開始時間でない場合（Ｓ４３にてＮＯ）、無線通信制御部２１５は、Ｓ４３を繰り返す。予約視聴開始時間である場合（Ｓ４３にてＹＥＳ）、無線通信制御部２１５は、機器電源ＯＮ処理部２０５に当該情報を送信する。そして、機器電源ＯＮ処理部２０５は、ディスプレイ２００の各部の電源をオンにする（Ｓ４４）。
【０１２２】
このように、ディスプレイ２００がスタンバイ状態であり、予約視聴開始までの残り時間が所定の閾値を下回ったとき、ディスプレイ２００の無線通信制御部２１５は、電力が供給される。よって、より好適にディスプレイ２００の消費電力を低減させることができる。
【０１２３】
なお、請求項に記載の映像信号は、地上デジタル放送、ＣＳ放送、ＢＳ放送などの放送系ソースから供給される映像信号に限定されない。例えば、ＩＰＴＶやＶＯＤなどの通信系ソース、ハードディスクドライブや光ディスクドライブなどの媒体系ソース、又は、ウェブブラウザやＵＳＢアプリケーション（ＵＳＢメモリに格納されたコンテンツを再生するアプリケーション）などのアプリケーション系ソースから供給される映像信号も、請求項に記載の映像信号の一例である。また、請求項に記載の映像信号は、動画像を表す映像信号に限定されず、静止画像を表す映像信号であってもよい。また、アプリケーション系ソースから供給される映像信号のように、ＵＩ（ユーザインタフェース）を表す映像信号であってもよい。
【０１２４】
また、本実施形態においては、ＳＴＢ１００とディスプレイ２００とは無線通信を行うことを例に説明を行ったが、ＳＴＢ１００とディスプレイ２００とは例えばＨＤＭＩ接続により通信を行うものであってもよい。
【０１２５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１２６】
〔ソフトウェアによる実現例について〕
最後に、テレビジョンシステム１の各ブロックは、集積回路（ＩＣチップ）上に形成された論理回路によってハードウェア的に実現してもよいし、ＣＰＵ（Central Processing Unit）を用いてソフトウェア的に実現してもよい。
【０１２７】
後者の場合、テレビジョンシステム１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビジョンシステム１の制御プログラムのプログラムコード（実行形式プログラム、中間コードプログラム、ソースプログラム）をコンピュータで読み取り可能に記録した記録媒体を、テレビジョンシステム１に供給し、そのコンピュータ（またはＣＰＵやＭＰＵ）が記録媒体に記録されているプログラムコードを読み出し実行することによっても、達成可能である。
【０１２８】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１２９】
また、テレビジョンシステム１を通信ネットワークと接続可能に構成し、上記プログラムコードを、通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１３０】
本発明は、ＳＴＢとディスプレイとが分離したセパレート型のテレビジョンシステムに好適に利用することができる。
【符号の説明】
【０１３１】
１  テレビジョンシステム（表示システム）
１００  ＳＴＢ（送信装置、ソース機器）
１０１  時計情報取得部
１０２  時計情報管理部
１０３  時計情報送信部
１０４  予約時刻監視部
１０５  機器電源ＯＮ処理部
１０６  予約情報管理部
１０７  予約情報受信部
１０８  予約情報送信部
１０９  予約有無応答部
１１０  無線通信入切制御部
１１１  機器電源ＯＦＦ処理部
１１２  スタンバイモード要求部
１１３  スタンバイモード管理部
１１４  スタンバイモード受信部
１１５  無線通信制御部
２００  ディスプレイ（受信装置、シンク機器）
２０１  予約情報受付部
２０２  時計情報管理部
２０３  時計情報受信部
２０４  予約時刻監視部（決定手段）
２０５  機器電源ＯＮ処理部（起動手段）
２０６  予約情報管理部（決定手段、電力供給手段、同期手段）
２０７  予約情報受信部
２０８  予約情報送信部
２０９  予約有無確認部（予約有無確認手段）
２１０  無線通信入切制御部（電力供給手段）
２１１  機器電源ＯＦＦ処理部
２１２  スタンバイモード受付部
２１３  スタンバイモード管理部（スタンバイ状態設定手段）
２１４  スタンバイモード送信部
２１５  無線通信制御部（受信部）
【図１】
0005373148.tif 000002
【図２】
0005373148.tif 000003
【図３】
0005373148.tif 000004
【図４】
0005373148.tif 000005